(57)【要約】【課題】複数の光源を有する場合において、使用する光源の切換え時に投写映像の明るさが変化するのを抑制することが可能な投写型映像表示装置を提供する。【解決手段】制御部１００は、光源として使用されるランプが、第２ランプ１０Ｂから第１ランプ１０Ａに切換えられるときには、駆動ミラー１０Ｄの状態を、第１ランプ１０Ａの発する光を液晶パネルに送る状態に切換えるとともに、リレー回路６６をＩ側に設定することにより、電源部６２からの電力の供給先を第２ランプ１０Ｂから第１ランプ１０Ａに切換える。制御部１００は、さらに、ランプユニット５０Ａ内部の第１メモリ１２Ａから第１ランプ１０Ａの累積点灯時間を読み出すとともに、ランプユニット５０Ｂ内部の第２メモリ１２Ｂから第２ランプ１０Ｂの累積点灯時間を読み出すと、読み出したランプ毎の累積点灯時間に応じて第１ランプ１０Ａに供給する電力の目標値を算出する。【選択図】図２
2011128494.tif 000002
【特許請求の範囲】
【請求項１】
第１光源と、
第２光源と、
前記第１光源または前記第２光源からの光を変調する光変調素子と、
前記第１光源または前記第２光源からの光を共通の光路を通じて前記光変調素子に導くための導光部と、
前記光変調素子により変調された光を投写する投写部と、
前記第１光源および前記第２光源の各々の累積点灯時間に応じて、前記第１光源または前記第２光源を調光制御する制御部とを備える、投写型映像表示装置。
【請求項２】
前記第１光源の発する光を前記導光部へ導く第１の状態と、前記第２光源の発する光を前記導光部へ導く第２の状態とを切換えるための切換手段をさらに備える、請求項１に記載の投写型映像表示装置。
【請求項３】
前記第１光源または前記第２光源に電力を供給する電源部をさらに備え、
前記制御部は、
前記切換手段の状態を前記第１の状態から前記第２の状態に変更させるときには前記電源部からの電力の供給先を前記第１光源から前記第２光源に切換えるとともに、前記切換手段の状態を前記第２の状態から前記第１の状態に変更させるときには前記電源部からの電力の供給先を前記第２光源から前記第１光源に切換えるための電源制御手段と、
前記電源部からの電力の供給先が前記第１光源から前記第２光源に切換えられるときには、前記第１光源および前記第２光源の各々の累積点灯時間に対応する輝度低下率に応じて前記第２光源に供給する電力を制御し、前記電源部からの電力の供給先が前記第２光源から前記第１光源に切換えられるときには、前記第１光源および前記第２光源の各々の累積点灯時間に対応する輝度低下率に応じて前記第１光源に供給する電力を制御する調光制御手段とを含む、請求項２に記載の投写型映像表示装置。
【請求項４】
前記第１光源は、前記第１光源の累積点灯時間を保持するための第１の記憶部を含み、
前記第２光源は、前記第２光源の累積点灯時間を保持するための第２の記憶部を含み、
前記制御部は、前記第１の記憶部および前記第２の記憶部から前記第１光源および前記第２光源の累積点灯時間をそれぞれ読み出すための読出手段をさらに含む、請求項１に記載の投写型映像表示装置。
【請求項５】
第１光源と、
第２光源と、
前記第１光源または前記第２光源からの光を変調する光変調素子と、
前記第１光源または前記第２光源からの光を共通の光路を通じて前記光変調素子に導くための導光部と、
前記光変調素子により変調された光を投写する投写部と、
前記第１光源および前記第２光源の各々の累積点灯時間に応じて、前記光変調素子を透過する光の透過率を制御する制御部とを備える、投写型映像表示装置。
【請求項６】
前記第１光源または前記第２光源に電力を供給する電源部と、
前記第１光源の発する光を前記導光部へ導く第１の状態と、前記第２光源の発する光を前記導光部へ導く第２の状態とを切換えるための切換手段とをさらに備え、
前記制御部は、
前記切換手段の状態を前記第１の状態から前記第２の状態に変更させるときには前記電源部からの電力の供給先を前記第１光源から前記第２光源に切換えるとともに、前記切換手段の状態を前記第２の状態から前記第１の状態に変更させるときには前記電源部からの電力の供給先を前記第２光源から前記第１光源に切換えるための電源制御手段と、
前記電源部からの電力の供給先が前記第１光源と前記第２光源との間で切換えられるときには、前記第１光源および前記第２光源の各々の累積点灯時間に対応する輝度低下率に応じて前記透過率を制御する透過率制御手段とを含む、請求項５に記載の投写型映像表示装置。
【発明の詳細な説明】
【技術分野】
【０００１】
この発明は、投写型映像表示装置に関し、より特定的には、複数の光源を有する投写型映像表示装置に関する。
【背景技術】
【０００２】
複数の光源を有する投写型映像表示装置として、たとえば特開２００６−３９３２９号公報（特許文献１）には、第１光源および第２光源を交互に点灯させることにより、各光源の長寿命化を図る技術が開示されている。この特許文献１の投写型映像表示装置では、第１光源および第２光源の１つに着目した場合に、その光源を所定期間内に設定された単位点灯時間の間のみ点灯する、いわゆる断続点灯とすることによって、光源の寿命を連続点灯時の寿命と比較して延ばすことを可能としている。
【０００３】
また、特開２００１−３５７９８４号公報（特許文献２）は、投写型映像表示装置に搭載される光源装置において、複数の光源のうちの少なくとも一の光源が点灯され、他の光源が消灯されている際に、点灯中の光源の点灯状態が異常となったときには、消灯中の光源を点灯させ、その点灯を確信した後に、点灯中の光源を消灯させる技術を開示している。特許文献２の光源装置では、かかる構成により、光源の切換え時の表示映像の明るさの維持を図っている。
【先行技術文献】
【特許文献】
【０００４】
【特許文献１】特開２００６−３９３２９号公報
【特許文献２】特開２００１−３５７９８４号公報
【発明の概要】
【発明が解決しようとする課題】
【０００５】
上記の特許文献１および２に記載の投写型映像表示装置のように、複数の光源を切換えて点灯させるものにおいては、複数の光源のうちの一の光源がその寿命を迎える前に、故障などによって使用できなくなる場合が少なからず発生する。たとえば２つの光源のうちの一方の光源が故障によって使用できなくなった場合には、点灯すべき光源を、故障中の光源から他方の光源に切換えることによって、映像の投写を継続させることが行なわれる。そして、ユーザが故障中のランプを新品のランプに交換した後には、再び２つの光源を切換えて点灯させる。
【０００６】
しかしながら、２つの光源のうちの一方の光源を新品に交換することで、該光源と他方の光源との間には、累積点灯時間に差が生じてしまう。一般に、光源は、累積点灯時間が長くなるに従って、その輝度が低下する特性を有している。そのため、上記のように、一方の光源のみを新品に交換した場合には、該一方の光源と他方の光源との間には、累積点灯時間の違いに応じた輝度差が発生する。このような状態で、これら２つの光源を交互に点灯させると、光源を切換えるごとに投写映像の明るさが変化してしまい、投写型映像表示装置の視聴者に違和感を与えるという問題があった。
【０００７】
それゆえ、この発明は、かかる課題を解決するためになされたものであり、その目的は、複数の光源を有する場合において、使用する光源の切換え時に投写映像の明るさが変化するのを抑制することが可能な投写型映像表示装置を提供することである。
【課題を解決するための手段】
【０００８】
この発明のある局面に従えば、投写型映像表示装置は、第１光源と、第２光源と、第１光源または第２光源からの光を変調する光変調素子と、第１光源または第２光源からの光を共通の光路を通じて光変調素子に導くための導光部と、光変調素子により変調された光を投写する投写部と、第１光源および第２光源の各々の累積点灯時間に応じて、第１光源または第２光源を調光制御する制御部とを備える。
【０００９】
好ましくは、投写型映像表示装置は、第１光源の発する光を導光部へ導く第１の状態と、第２光源の発する光を導光部へ導く第２の状態とを切換えるための切換手段をさらに備える。
【００１０】
好ましくは、投写型映像表示装置は、第１光源または第２光源に電力を供給する電源部をさらに備える。制御部は、切換手段の状態を第１の状態から第２の状態に変更させるときには電源部からの電力の供給先を第１光源から第２光源に切換えるとともに、切換手段の状態を第２の状態から第１の状態に変更させるときには電源部からの電力の供給先を第２光源から第１光源に切換えるための電源制御手段と、電源部からの電力の供給先が第１光源から第２光源に切換えられるときには、第１光源および第２光源の各々の累積点灯時間に対応する輝度低下率に応じて第２光源に供給する電力を制御し、電源部からの電力の供給先が第２光源から第１光源に切換えられるときには、第１光源および第２光源の各々の累積点灯時間に対応する輝度低下率に応じて第１光源に供給する電力を制御する調光制御手段とを含む。
【００１１】
好ましくは、第１光源は、第１光源の累積点灯時間を保持するための第１の記憶部を含む。第２光源は、第２光源の累積点灯時間を保持するための第２の記憶部を含む。制御部は、第１の記憶部および第２の記憶部から第１光源および第２光源の累積点灯時間をそれぞれ読み出すための読出手段をさらに含む。
【００１２】
この発明の別の局面に従えば、投写型映像表示装置は、第１光源と、第２光源と、第１光源または第２光源からの光を変調する光変調素子と、第１光源または第２光源からの光を共通の光路を通じて光変調素子に導くための導光部と、光変調素子により変調された光を投写する投写部と、第１光源および第２光源の各々の累積点灯時間に応じて、光変調素子を透過する光の透過率を制御する制御部とを備える。
【００１３】
好ましくは、投写型映像表示装置は、第１光源または第２光源に電力を供給する電源部と、第１光源の発する光を導光部へ導く第１の状態と、第２光源の発する光を導光部へ導く第２の状態とを切換えるための切換手段とをさらに備える。制御部は、切換手段の状態を第１の状態から第２の状態に変更させるときには電源部からの電力の供給先を第１光源から第２光源に切換えるとともに、切換手段の状態を第２の状態から第１の状態に変更させるときには電源部からの電力の供給先を第２光源から第１光源に切換えるための電源制御手段と、電源部からの電力の供給先が第１光源と第２光源との間で切換えられるときには、第１光源および第２光源の各々の累積点灯時間に対応する輝度低下率に応じて透過率を制御する透過率制御手段とを含む。
【発明の効果】
【００１４】
この発明によれば、複数の光源を有する場合において、使用する光源の切換え時に投写映像の明るさが変化するのを抑制することができる。
【図面の簡単な説明】
【００１５】
【図１】この発明の実施の形態１に係るプロジェクタの主要部の構成を模式的に示す図である。
【図２】本実施の形態１のプロジェクタの主要部の概略構成図である。
【図３】本発明の実施の形態１に従う制御部の制御構造を説明する図である。
【図４】制御部によるランプ毎の累積点灯時間の読出処理を説明する図である。
【図５】制御部によるランプ毎の累積点灯時間の読出処理を説明するフローチャートである。
【図６】光源の輝度低下率と累積点灯時間との関係を説明する図である。
【図７】制御部によるランプの調光制御を説明するフローチャートである。
【図８】本発明の実施の形態２に従うプロジェクタにおける制御部の制御構造を説明する図である。
【図９】制御部による液晶パネルの透過率制御を説明するフローチャートである。
【発明を実施するための形態】
【００１６】
以下、本発明の実施の形態について、図面を参照しながら詳細に説明する。なお、図中の同一または相当する部分には同一符号を付してその説明は繰返さない。
【００１７】
［実施の形態１］
図１は、本発明の実施の形態１に係る投写型映像表示装置（以下、「プロジェクタ」ともいう）の主要部の構成を模式的に示す図である。
【００１８】
図１を参照して、プロジェクタは、液晶デバイスを利用して映像を投影する液晶プロジェクタであって、光学エンジン２と、投写レンズ３とを備え、その外郭をキャビティ（図示せず）で覆われている。なお、プロジェクタは、スピーカ等の音声を出力するための構成要素や、光学エンジン２の構成要素および音声出力手段を電気的に制御するための回路基板なども搭載されているが、図１では、これらを含む一部の構成要素の図示は省略されている。
【００１９】
光学エンジン２は、照明装置１０を含む。照明装置１０は、２つのランプ（第１ランプ１０Ａ，第２ランプ１０Ｂ）と、駆動ミラー１０Ｄとを含む。ランプ１０Ａ，１０Ｂは、たとえば超高圧水銀ランプ、メタルハライドランプ、キセノンランプなどからなる。ランプ１０Ａおよび１０Ｂは、キャビティに対して着脱自在な状態で装着されている。すなわち、プロジェクタは、ランプ１０Ａおよび１０Ｂの各々を交換することができる。ランプ１０Ａ，１０Ｂからの光は、リフレクタの作用により、ほぼ平行光となって出射される。
【００２０】
駆動ミラー１０Ｄは、図示しない駆動機構によって同図駆動ミラー１０Ｄの中心部のＹ軸を回動中心として回動可能である。具体的には、駆動ミラー１０Ｄは、第１ランプ１０Ａの起動時には図１に示されるように、第１ランプ１０Ａからの光をフライアイインテグレータ１１へ導く状態となる。一方、第２ランプ１０Ｂの起動時には、駆動ミラー１０Ｄを時計回りに９０°回動させて、第２ランプ１０Ｂからの光をフライアイインテグレータ１１へ導く状態となる。
【００２１】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなるフライアイレンズを備え、液晶パネル１８，２４，３３に入射する光の光量分布が均一となるよう、照明装置１０から入射される光に光学作用を付与する。
【００２２】
ＰＢＳアレイ１２は、複数のＰＢＳと１／２波長板がアレイ状に配列されたものであり、フライアイインテグレータ１１から入射された光の偏光方向を１方向に揃える。コンデンサレンズ１３は、ＰＢＳアレイ１２から入射された光に集光作用を付与する。コンデンサレンズ１３を透過した光は、ダイクロイックミラー１４に入射する。
【００２３】
ダイクロイックミラー１４は、コンデンサレンズ１３から入射された光のうち、青色波長帯の光（以下、「Ｂ光」という）のみを透過し、赤色波長帯の光（以下、「Ｒ光」という）および緑色波長帯の光（以下、「Ｇ光」という）を反射する。ダイクロイックミラー１４を透過したＢ光は、ミラー１５に導かれ、そこで反射され、コンデンサレンズ１６に入射される。
【００２４】
コンデンサレンズ１６は、Ｂ光がほぼ平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００２５】
ダイクロイックミラー１４によって反射された光のうちＧ光は、ダイクロイックミラー２１によって反射され、コンデンサレンズ２２に入射される。コンデンサレンズ２２は、Ｇ光がほぼ平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００２６】
ダイクロイックミラー２１を透過したＲ光は、コンデンサレンズ２６に入射される。コンデンサレンズ２６は、Ｒ光がほぼ平行光で液晶パネル３３に入射するよう、Ｒ光に光学作用を付与する。コンデンサレンズ２６を透過したＲ光は、光路長調整用のリレーレンズ２７，２９，３１と２つのミラー２８，３０とからなる光路を進み、入射側偏光板３２を介して液晶パネル３３に入射される。液晶パネル３３は、赤色用の映像信号に応じて駆動され、その駆動情報に応じてＲ光を変調する。液晶パネル３３によって変調されたＲ光は、出射側偏光板３４を介して、ダイクロイックプリズム２０に入射される。
【００２７】
ダイクロイックプリズム２０は、液晶パネル１８，２４，３３によって変調されたＢ光、Ｇ光およびＲ光を色合成し、投写レンズ３へと入射させる。投写レンズ３は、投写光を被投写面（スクリーン）上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ３によって、スクリーン上に拡大投写される。
【００２８】
このように、本発明の実施の形態に係るプロジェクタでは、照明装置１０が２つのランプ１０Ａ，１０Ｂを含んでおり、第１ランプ１０Ａが発する光と第２ランプ１０Ｂが発する光とは、共通の光路を通じて液晶パネル１８，２４，３３へ導かれる。これにより、複数のランプで単一の光路を共有できるため、ランプ毎に光路を設けなくとも、光学系を有効利用して、使用するランプの切換えができる。その結果、プロジェクタのコストの削減ならびに小型化および軽量化が可能となる。
【００２９】
図２は、本実施の形態１のプロジェクタの主要部の概略構成図である。
図２を参照して、プロジェクタは、当該プロジェクタの動作を全体的に制御する制御部１００を備える。制御部１００は、ＣＰＵ（Central Processing Unit）であり、各部との信号のやり取りを行ない、また、操作受付部８０からの操作信号に従って各部の動作を制御する。
【００３０】
また、プロジェクタは、外部からの操作を受付ける操作受付部８０を含む。操作受付部８０は、プロジェクタの本体に設けられた複数の操作用ボタンからなる操作部（図示せず）またはプロジェクタを遠隔操作するためのリモコン（リモートコントローラの略）への操作がなされると、当該操作を受付け、各種動作のトリガとなるコマンド信号を制御部１００へ送る。
【００３１】
また、プロジェクタは、駆動ミラー１０Ｄを備える。駆動ミラー１０Ｄは、駆動機構（図示せず）によって駆動されることにより、第１ランプ１０Ａの発する光を液晶パネル１８，２４，３３に送る状態（以下、「第１の状態」ともいう）と、ランプ１０Ｂの発する光を液晶パネル１８，２４，３３に送る状態（以下、「第２の状態」ともいう）とを切換える。
【００３２】
また、プロジェクタは、第１ランプ１０Ａまたは第２ランプ１０Ｂに電力を供給するためのランプバラストユニット６０を備える。ランプバラストユニット６０は、電源部６２と、ランプ駆動部６４と、リレー回路６６とを含む。
【００３３】
電源部６２は、図示しないＡＣ電源のコンセントに差し込まれるプラグを経由して電力が供給され、供給された電力をプロジェクタ内の各部に供給する。
【００３４】
ランプ駆動部６４は、電源部６２からの電力を受けると、第１ランプ１０Ａまたは第２ランプ１０Ｂを点灯するための電力を発生する。ランプ駆動部６４が発生する電力は、制御部１００によって制御される。
【００３５】
具体的には、制御部１００は、電源部６２からの電力の供給先が第１ランプ１０Ａと第２ランプ１０Ｂとの間で切換えられたときには、後述する方法によって、切換え後のランプに供給する電力の目標値（以下、「電力目標値」ともいう）Ｐ＊を算出する。そして、制御部１００は、ランプ駆動部６４が発生する電力が、算出した電力目標値Ｐ＊となるように、制御指令を生成してランプ駆動部６４へ与える。ランプ駆動部６４は、制御部１００からの制御指令に従って発生した電力をリレー回路６６へ供給する。すなわち、ランプ駆動部６４は、制御部１００で設定された電力目標値Ｐ＊に従って、出力電力を変更することが可能であり、これにより、照明装置１０から射出される照明光の明るさを変更することができる。
【００３６】
リレー回路６６は、ランプ駆動部６４から供給された電力を、第１ランプ１０Ａまたは第２ランプ１０Ｂへ伝達する。具体的には、リレー回路６６は、制御部１００から与えられる切換指令に従って、Ｉ側およびＩＩ側のいずれかに設定される。
【００３７】
具体的には、駆動ミラー１０Ｄの状態が第２の状態から第１の状態に切換えられるとき、すなわち、光源として点灯させるべきランプを第２ランプ１０Ｂから第１ランプ１０Ａに切換えるときには、リレー回路６６はＩ側に設定される。これにより、リレー回路６６を介して第１ランプ１０Ａに電力が供給される。
【００３８】
一方、駆動ミラー１０Ｄの状態が第１の状態から第２の状態に切換えられるとき、すなわち、光源として点灯させるべきランプを第１ランプ１０Ａから第２ランプ１０Ｂに切換えるときには、リレー回路６６はＩＩ側に設定される。これにより、リレー回路６６を介して第２ランプ１０Ｂに電力が供給される。
【００３９】
また、プロジェクタは、映像信号処理部７０と、液晶パネル駆動部７２とを備える。映像信号処理部７０は、図示しないレシーバを介して外部の映像ソース機器から供給される映像信号に対して、輝度調整、色バランス調整、コントラスト調整、シャープネス調整などの画質調整や、画像サイズを拡大／縮小する処理や、プロジェクタによってあおり投写を行なうときの台形歪補正等の各種映像処理を施す。
【００４０】
液晶パネル駆動部７２は、映像信号処理部７０において映像処理が施された映像データに基づいて、液晶パネル１８，２４，３３を駆動するための駆動信号を生成する。液晶パネル１８，２４，３３は、液晶パネル駆動部７２で生成された駆動信号に応じて照明装置１０から照射された照明光を変調する。
【００４１】
（ランプユニットの構成）
本実施の形態に係るプロジェクタでは、光源として使用される第１ランプ１０Ａおよび第２ランプ１０Ｂは、それぞれ、第１ランプユニット５０Ａおよび第２ランプユニット５０Ｂに搭載されている。第１ランプユニット５０Ａおよび第２ランプユニット５０Ｂはそれぞれ、キャビティに対して着脱自在に装着されている。
【００４２】
第１ランプユニット５０Ａは、第１ランプ１０Ａと、第１ランプ１０Ａに関する情報を格納するための第１メモリ１２Ａとを含む。第１メモリ１２Ａは、たとえばフラッシュメモリなどの不揮発性メモリやハードウェアで構成される。第１ランプ１０Ａに関する情報には、第１ランプ１０Ａが純正品であることを示す情報と、第１ランプ１０Ａの累積点灯時間Ｔ１を示す累積点灯時間情報とが含まれる。
【００４３】
ランプが純正品であることを示す情報は、たとえばシリアル番号のように、番号や記号等の組合せによって構成されたランプユニットに固有の識別子（ＩＤ）で構成されている。第１ランプユニット５０Ａが装置本体に装着されると、第１メモリ１２Ａは、制御部１００と通信可能に接続される。制御部１００は、第１メモリ１２Ａに記憶されているＩＤを読み出し、当該ＩＤに基づいて第１ランプユニット５０Ａが純正品であるか否かを判定する。
【００４４】
第１ランプ１０Ａの累積点灯時間Ｔ１は、新品時には初期値（Ｔ＝０）に設定されている。ランプ切れ等により新品に交換された場合には、図示しないタイマ部により計時された点灯時間が累積点灯時間として第１メモリ１２Ａに格納される。第１メモリ１２Ａに格納された累積点灯時間Ｔ１は、第１ランプ１０Ａの点灯毎に制御部１００により更新記録される。
【００４５】
第２ランプユニット５０Ｂは、第２ランプ１０Ｂと、第２ランプ１０Ｂに関する情報を格納するための第２メモリ１２Ｂとを含む。第２メモリ１２Ｂは、第１メモリ１２Ａと同様の構成からなり、第２ランプ１０Ｂに関する情報として、第２ランプ１０Ｂが純正品であることを示す情報（ＩＤ）と、第２ランプ１０Ｂの累積点灯時間Ｔ２を示す累積点灯時間情報とを格納する。
【００４６】
第２ランプユニット５０Ｂが装置本体に装着されると、第２メモリ１２Ｂは、制御部１００と通信可能に接続される。制御部１００は、第２メモリ１２Ｂに記憶されているＩＤを読み出し、当該ＩＤに基づいて第２ランプユニット５０Ｂが純正品であるか否かを判定する。
【００４７】
第２ランプ１０Ｂの累積点灯時間Ｔ２は、新品時には初期値（Ｔ＝０）に設定されている。ランプ切れ等により新品に交換された場合には、図示しないタイマ部により計時された点灯時間が累積点灯時間として第２メモリ１２Ｂに格納される。第２メモリ１２Ｂに格納された累積点灯時間Ｔ２は、第２ランプ１０Ｂの点灯毎に制御部１００により更新記録される。
【００４８】
このように、本発明の実施の形態に係るプロジェクタでは、制御部１００は、ランプユニット内部のメモリから読み出したＩＤに基づき光源として使用されるランプが純正品であるか否かを判定する。そして、光源として使用されるランプが非純正品であると判定した場合には、制御部１００は、その判定結果を示す信号ＥＲＲを生成して映像信号処理部７０へ出力する。映像信号処理部７０は、ＯＳＤ（On Screen Display）機能を用いて、ランプが非純正品であるというメッセージ画像を生成して液晶パネル駆動部７２へ出力する。これにより、当該メッセージ画像がＯＳＤ表示される。
【００４９】
一方、光源として使用されるランプが純正品であると判定した場合には、制御部１００は、該ランプの点灯毎にタイマ部により点灯時間を計時するとともに、対応するメモリに格納される累積点灯時間を更新記録する。
【００５０】
制御部１００はさらに、光源として使用されるランプを、第１ランプ１０Ａと第２ランプ１０Ｂとの間で切換える際には、第１メモリ１２Ａおよび第２メモリ１２Ｂにそれぞれ格納されている累積点灯時間Ｔ１およびＴ２を読み出し、その読み出した累積点灯時間Ｔ１およびＴ２に応じて、光源として点灯させるべきランプの調光制御を実行する。
【００５１】
次に、光源として使用されるランプを、第１ランプ１０Ａと第２ランプ１０Ｂとの間で切換える際に制御部１００が実行する処理の内容について、図３から図７を参照して説明する。
【００５２】
（制御構造）
図３は、本発明の実施の形態１に従う制御部１００の制御構造を説明する図である。
【００５３】
図３を参照して、制御部１００は、切換部１１０と、累積点灯時間読出部１１２と、輝度低下率算出部１１４と、出力電力制御部１１６と、タイマ部１１８とを含む。
【００５４】
切換部１１０は、操作受付部８０から光源として使用されるランプを切換えるためのコマンド信号（以下、「切換要求」ともいう）が入力されると、駆動ミラー１０Ｄに対して、駆動ミラー１０Ｄの状態の切換えを指示する信号を出力する。図示しない駆動機構がこの信号に基づき駆動ミラー１０Ｄを回動させることにより、駆動ミラー１０Ｄは第１の状態と第２の状態との間で切換えられる。
【００５５】
切換部１１０はさらに、リレー回路６６に対して切換指令を出力する。リレー回路６６は、この切換指令に従って、Ｉ側およびＩＩ側のいずれかに設定される。具体的には、駆動ミラー１０Ｄの状態が第２の状態から第１の状態に切換えられるときには、リレー回路６６はＩ側に設定され、駆動ミラー１０Ｄが第１の状態から第２の状態に切換えられるときには、リレー回路６６はＩＩ側に設定される。
【００５６】
タイマ部１１８は、切換部１１０からの指示に従って、光源として使用するランプの点灯毎に点灯時間を計時する。タイマ部１１８は、計時した点灯時間を当該ランプに対応するメモリに書き込むことにより、当該メモリに格納される累積点灯時間を更新記録する。
【００５７】
たとえば切換部１１０からの信号により、光源として使用するランプが、第２ランプ１０Ｂから第１ランプ１０Ａに切換えられたことを検出すると、タイマ部１１８は、第１ランプ１０Ａの点灯時間ｔ１を計時するとともに、第１メモリ１２Ａに格納される累積点灯時間Ｔ１を更新記録する。
【００５８】
一方、切換部１１０からの信号により、光源として使用するランプが、第１ランプ１０Ａから第２ランプ１０Ｂに切換えられたことを検出すると、タイマ部１１８は、第２ランプ１０Ｂの点灯時間ｔ２を計時するとともに、第２メモリ１２Ｂに格納される累積点灯時間Ｔ２を更新記録する。
【００５９】
累積点灯時間読出部１１２は、切換部１１０からランプの切換えを指示する信号を受けると、第１メモリ１２Ａおよび第２メモリ１２Ｂのそれぞれとの間でランプに関する情報を通信する。この通信を行なうことにより、累積点灯時間読出部１１２は、第１メモリ１２Ａから第１ランプ１０Ａの累積点灯時間Ｔ１を読み出すとともに、第２メモリ１２Ｂから第２ランプ１０Ｂの累積点灯時間を読み出す。
【００６０】
（累積点灯時間の読出）
図４は、制御部１００によるランプ毎の累積点灯時間の読出処理を説明する図である。なお、図４および図５では、代表的に第１ランプ１０Ａの累積点灯時間の読出処理を説明するが、第２ランプ１０Ｂの累積点灯時間の読出処理についても同様の手順に従って実行される。
【００６１】
図４を参照して、第１ランプユニット５０Ａが装置本体に装着された状態において、制御部１００と第１ランプユニット５０Ａ内部の第１メモリ１２Ａとは、３本の通信ライン９０，９２，９４と、１本の電源ライン（図示せず）によって接続される。
【００６２】
詳細には、通信ライン９０は、制御部１００と第１メモリ１２Ａとを同期させるためのクロック信号を通信するためのクロックラインを構成する。
【００６３】
通信ライン９２は、制御部１００と第１メモリ１２Ａとの間で、第１ランプ１０Ａの調光制御に供するデータ信号を通信するためのデータラインを構成する。このデータ信号には、通信環境の良否を確認するための信号であるＡＣＫ（Acknowledge）信号も含まれている。制御部１００は、調光制御の最初にＡＣＫ信号をメモリへ送信し、メモリからのＡＣＫ信号に対する応答信号の有無に基づいて通信環境の良否を確認する。
【００６４】
通信ライン９４は、第１メモリ１２Ａから発せられるビジー信号を制御部１００へ送信するためのビジー信号ラインを構成する。なお、ビジー信号とは、第１メモリ１２Ａが制御部１００からの送信信号に対して応答不能であるときに発せられる信号である。たとえば第１メモリ１２Ａが前回の調光制御の実行中であるときには、通信ライン９４を介してビジー信号が制御部１００へ送信される。
【００６５】
図５は、制御部１００によるランプ毎の累積点灯時間の読出処理を説明するフローチャートである。なお、図５のフローチャートは、操作受付部８０から切換要求が入力されるごとにメインルーチンから呼び出されて実行される。
【００６６】
図５を参照して、まず、制御部１００側では、ＡＣＫ信号とともに乱数を発生させてこれらの信号を第１ランプユニット５０Ａの第１メモリ１２Ａに対して送信する（ステップＳ１１）。そして、制御部１００は、送信信号に対する応答の受信状態となる。
【００６７】
一方、第１ランプユニット５０Ａ側では、まず、制御部１００からの送信信号の受信待機状態にある。このとき、第１メモリ１２Ａは、タイマ手段によってその待機時間を計時しており、計時値が予め設定されている待機時間を超えると（ステップＳ２１においてＮＯ）、第１メモリ１２Ａは読出処理を終了する。
【００６８】
ステップＳ２１において設定時間内に制御部１００からの送信信号が受信されると（ステップＳ２１においてＹＥＳ）、第１メモリ１２Ａは、通信環境が正常であると判断する。そして、第１メモリ１２Ａは、受信した乱数を予め記憶されている第１ランプユニット５０ＡのＩＤ（以下、ランプＩＤとも記す）を鍵として暗号化する（ステップＳ２２）。ランプＩＤを鍵として暗号化された乱数は、制御部１００に対して送信される（ステップＳ２３）。
【００６９】
制御部１００では、受信待機状態において、第１メモリ１２Ａと同様にタイマ手段によって待機時間が計時されている。計時値が設定時間を超えると（ステップＳ１２においてＮＯ）、制御部１００は読出処理を終了する。
【００７０】
一方、設定時間内に第１メモリ１２Ａからの応答が受信されると、制御部１００は、予め記憶部に格納されているランプＩＤを読み出すとともに、ランプＩＤを鍵として乱数の復号化を行なう（ステップＳ１３）。
【００７１】
このとき、復号化された乱数と第１メモリ１２Ａに送信した当初の乱数とが一致していれば、すなわち、ランプＩＤを鍵として複号化に成功すれば、制御部１００は、第１ランプユニット５０Ａが純正品であると判定する。一方、復号化された乱数と第１メモリ１２Ａに送信した当初の乱数とが一致しないとき、すなわち、ランプＩＤを鍵として復号化できないときには、制御部１００は、第１ランプユニット５０Ａが非純正品であると判定する（ステップＳ１４）。
【００７２】
ステップＳ１４において第１ランプユニット５０Ａが非純正品であると判定されたときには、制御部１００は、映像信号処理部７０に対して信号ＥＲＲを出力することにより、映像信号処理部７０に第１ランプユニット５０Ａが非純正品であるというメッセージ画像を生成させる。これにより、当該メッセージ画像がＯＳＤ表示される。
【００７３】
一方、ステップＳ１４において第１ランプユニット５０Ａが純正品であると判定されたときには、制御部１００は、第１メモリ１２Ａに記憶されている第１ランプ１０Ａの累積点灯時間Ｔ１を読み出す（ステップＳ１５）。
【００７４】
（輝度低下率の算出）
図３に戻って、累積点灯時間読出部１１２は、図５に示す処理を実行することによって、第１メモリ１２Ａから第１ランプ１０Ａの累積点灯時間Ｔ１を読み出すとともに、第２メモリ１２Ｂから第２ランプ１０Ｂの累積点灯時間Ｔ２を読み出すと、これらの累積点灯時間Ｔ１，Ｔ２を輝度低下率算出部１１４へ出力する。
【００７５】
輝度低下率算出部１１４は、第１ランプ１０Ａの累積点灯時間Ｔ１に基づいて、第１ランプ１０Ａの輝度低下率Ｌ１を算出する。また、輝度低下率算出部１１４は、第２ランプ１０Ｂの累積点灯時間Ｔ２に基づいて、第２ランプ１０Ｂの輝度低下率Ｌ２を算出する。
【００７６】
ここで、輝度低下率は、新品時と比較した場合のランプの輝度の低下率を表しており、図６に示すように、累積点灯時間の増加とともに増加するという関係を有している。輝度低下率算出部１１４は、図６に示す輝度低下率と累積点灯時間との関係を参照することにより、ランプごとに、累積点灯時間に対応する輝度低下率を算出する。
【００７７】
なお、輝度低下率の算出には、制御部１００が図６に示す関係を輝度低下率算出用マップとして予め保持しておき、光源として使用するランプの切換え毎に、当該マップの参照によって累積点灯時間に対応する輝度低下率を算出することができる。あるいは、図６の関係を表す所定の計算式を用いて、累積点灯時間から輝度低下率を算出することも可能である。
【００７８】
出力電力制御部１１６は、輝度低下率算出部１１４によって算出された第１ランプ１０Ａの輝度低下率Ｌ１および第２ランプ１０Ｂの輝度低下率Ｌ２に応じて、電源部６２から切換え後のランプに供給される電力を制御することにより、当該ランプから射出される光の明るさを調整する調光制御を行なう。
【００７９】
具体的には、出力電力制御部１１６は、ランプ毎の輝度低下率Ｌ１およびＬ２に応じて、電源部６２から切換え後のランプに供給する電力の目標値（電力目標値）Ｐ＊を設定する。そして、出力電力制御部１１６は、ランプ駆動部６４が発生する電力が設定した電力目標値Ｐ＊となるように、制御指令を生成してランプ駆動部６４へ与える。
【００８０】
ランプ駆動部６４は、出力電力制御部１１６からの制御指令に従って発生した電力をリレー回路６６へ供給する。すなわち、ランプ駆動部６４は、出力電力制御部１１６で設定された電力目標値Ｐ＊に従って、出力電力を変更することにより、照明装置１０から射出される照明光の明るさを変更する。
【００８１】
（ランプの調光制御）
制御部１００によるランプの調光制御について詳細に説明する。
【００８２】
図７は、制御部１００によるランプの調光制御を説明するフローチャートである。図７では、光源として使用されるランプを、第２ランプ１０Ｂから第１ランプ１０Ａに切換えられる際に制御部１００が実行する処理の内容について説明する。
【００８３】
図７を参照して、操作受付部８０から光源として使用するランプを、第２ランプ１０Ｂから第１ランプ１０Ａに変更するための切換要求が入力されると、累積点灯時間読出部１１２により、上述した方法によって、第１ランプユニット５０Ａの第１メモリ１２Ａから第１ランプ１０Ａの累積点灯時間Ｔ１が読み出されるとともに、第２ランプユニット５０Ｂの第２メモリ１２Ｂから第２ランプ１０Ｂの累積点灯時間Ｔ２が読み出される（ステップＳ３１）。
【００８４】
ステップＳ３２では、輝度低下率算出部１１４が、輝度低下率算出用マップ（図６）の参照によって、ランプ毎の累積点灯時間Ｔ１，Ｔ２に対応する輝度低下率Ｌ１，Ｌ２を算出する。
【００８５】
ステップＳ３３〜Ｓ３５では、出力電力制御部１１６が、ランプ毎の輝度低下率Ｌ１，Ｌ２に応じて、切換え後のランプである第１ランプ１０Ａに供給する電力の目標値（電力目標値）Ｐ＊を設定する。
【００８６】
具体的には、出力電力制御部１１６は、まず、第１ランプ１０Ａの輝度低下率Ｌ１が第２ランプ１０Ｂの輝度低下率Ｌ２よりも高いか否かを判定する（ステップＳ３３）。第１ランプ１０Ａの輝度低下率Ｌ１が第２ランプ１０Ｂの輝度低下率Ｌ２よりも高いとき（ステップＳ３３においてＹＥＳ）には、出力電力制御部１１６は、下記（１）式に従って、電力目標値Ｐ＊を、通常動作時における標準的な電源部６２の出力電力（以下、「標準電力」ともいう）Ｐに設定する（ステップＳ３４）。
【００８７】
Ｐ＊＝Ｐ  ・・・（１）
一方、第１ランプ１０Ａの輝度低下率Ｌ１が第２ランプ１０Ｂの輝度低下率Ｌ２以下となるとき（ステップＳ３３においてＮＯ）には、出力電力制御部１１６は、下記（２）式に示す演算に従って、ランプ毎の輝度低下率Ｌ１，Ｌ２に応じて電力目標値Ｐ＊を算出する（ステップＳ３５）。
【００８８】
Ｐ＊＝Ｐ×（１−Ｌ２）／（１−Ｌ１）  ・・・（２）
（２）式中において、（１−Ｌ２）／（１−Ｌ１）は、現時点での第１ランプ１０Ａと第２ランプ１０Ｂとの輝度の割合を表している。したがって、（２）式によれば、第１ランプ１０Ａの輝度低下率Ｌ１が第２ランプ１０Ｂの輝度低下率Ｌ２以下となる場合、すなわち、第１ランプ１０Ａの現時点での輝度が第２ランプ１０Ｂの現時点での輝度以上となる場合には、第１ランプ１０Ａに供給される電力は、両者の輝度の比に応じて減少するように制御される。これにより、第２ランプ１０Ｂから出射されていた光の明るさに応じて、ランプを切換えた後に第１ランプ１０Ａから出射される光の明るさが抑えられる。
【００８９】
このように、光源として使用されるランプを、第２ランプ１０Ｂから第１ランプ１０Ａに切換える際には、ランプ毎の累積点灯時間に対応する輝度低下率に応じて、第１ランプ１０Ａに供給する電力を制御することにより、第１ランプ１０Ａに切換えた後に照明装置１０から出射される光の明るさが変化するのを抑制することができる。これにより、プロジェクタの視聴者に違和感を与えることを回避できる。
【００９０】
なお、光源として使用されるランプを、第１ランプ１０Ａから第２ランプ１０Ｂに切換える際には、図７のステップＳ３３において、第２ランプ１０Ｂの輝度低下率Ｌ２が第１ランプ１０Ａの輝度低下率Ｌ１よりも高いか否かが判定される。そして、第２ランプ１０Ｂの輝度低下率Ｌ２が第１ランプ１０Ａの輝度低下率Ｌ１よりも高いときには、ステップＳ３４において、電力目標値Ｐ＊が標準電力Ｐに設定される。一方、第２ランプ１０Ｂの輝度低下率Ｌ２が第１ランプ１０Ａの輝度低下率Ｌ１以下となるときには、ステップＳ３５において、ランプ毎の輝度低下率Ｌ１，Ｌ２に応じて電力目標値Ｐ＊が算出される。
【００９１】
ここで、たとえば、図６の輝度低下率算出用マップを参照して算出される、累積点灯時間Ｔ１に対応する第１ランプ１０Ａの輝度低下率Ｌ１が１０％であり、かつ、累積点灯時間Ｔ２に対応する第２ランプ１０Ｂの輝度低下率Ｌ２が５０％であると想定する。
【００９２】
この条件において、光源として使用されるランプを、第２ランプ１０Ｂから第１ランプ１０Ａに切換える場合には、図７のステップＳ３３でＬ１＜Ｌ２が成り立つことから、図７のステップＳ３５において、下記（３）式に従って電力目標値Ｐ＊が算出される。
【００９３】
Ｐ＊＝Ｐ×（１−０．５）／（１−０．１）  ・・・（３）
そして、算出された電力目標値Ｐ＊に従って、ランプ駆動部６４がリレー回路６６を介して第１ランプ１０Ａに電力を供給することにより、第１ランプ１０Ａの輝度ＬＡは下記（４）式のように近似できる。
【００９４】
ＬＡ＝α×Ｐ＊×（１−Ｌ１）
＝α×Ｐ×０．５  ・・・（４）
ここで、αは、ランプの特性に応じて設定される、供給電力とランプの輝度とを関係を示す係数である。
【００９５】
一方、上記の条件において、光源として使用されるランプを、第１ランプ１０Ａから第２ランプ１０Ｂに切換える場合には、Ｌ２＞Ｌ１であることから、図７のステップＳ３３において、電力目標値Ｐ＊が標準電力Ｐに設定される。そして、設定された電力目標値Ｐ＊に従って、ランプ駆動部６４がリレー回路６６を介して第２ランプ１０Ｂに電力を供給することにより、第２ランプ１０Ｂの輝度ＬＢは下記（５）式のように近似できる。
【００９６】
ＬＢ＝α×Ｐ＊×（１−Ｌ２）
＝α×Ｐ×０．５  ・・・（５）
ここで、上記（４）式と（５）式とを比較することにより、光源として使用されるランプを第１ランプ１０Ａに切換える場合と、第２ランプ１０Ｂに切換える場合とでは、ランプの輝度がほぼ一致していることが分かる。
【００９７】
本発明の実施の形態１においては、第１ランプ１０Ａおよび第２ランプ１０Ｂが「第１光源および第２光源」に相当し、液晶パネル１８，２４，３３が「光変調素子」に相当し、フライアイインテグレータ１１、ＰＢＳアレイ１２およびコンデンサレンズ１３を含むミラー群およびレンズ群が「導光部」に相当し、ランプバラストユニット６０が「電源部」に相当し、駆動ミラー１０Ｄが「切換手段」に相当する。また、制御部１００が「電源制御手段」、「調光制御手段」および「読出手段」を実現する。
【００９８】
以上のように、本発明の実施の形態１に係るプロジェクタによれば、単一の電源部からの電力の供給先を第１ランプ１０Ａと第２ランプ１０Ｂとの間で切換える構成において、ランプ毎の累積点灯時間に応じてランプに供給する電力の制御（調光制御）が行なわれる。これにより、累積点灯時間が異なる複数のランプの間で、使用するランプの切換えを行なう場合であっても、投写映像の明るさが変化するのを抑制することができる。その結果、プロジェクタの視聴者に違和感を与えることなく、使用するランプの切換えを行なうことができる。
【００９９】
また、複数のランプに対して単一の電源部で電力を供給する場合であっても、つまり、ランプごとに電源部を設けなくとも、視聴者に違和感を与えずに使用するランプの切換えができるため、プロジェクタのコストの削減ならびに小型化および軽量化が可能となる。
【０１００】
［実施の形態２］
図８は、本発明の実施の形態２に従うプロジェクタにおける制御部１００Ａの制御構造を説明する図である。図８を参照して、本発明の実施の形態２に従う制御部１００Ａは、図３に示す本発明の実施の形態１に従う制御部１００に対して、出力電力制御部１１６に代えて、透過率制御部１２０を含む点でのみ異なる。したがって、図３の制御部１００と重複する部分についての詳細な説明は繰り返さない。
【０１０１】
透過率制御部１２０は、輝度低下率算出部１１４からランプ毎の輝度低下率Ｌ１，Ｌ２を受けると、輝度低下率Ｌ１，Ｌ２に応じて液晶パネル１８，２４，３３を透過する光の透過率を制御することにより、投写映像の明るさを調整する。
【０１０２】
具体的には、透過率制御部１２０は、ランプ毎の輝度低下率Ｌ１およびＬ２に応じて、液晶パネル１８，２４，３３の透過率の目標値（以下、透過率目標値ともいう）Ｔ＊を設定する。そして、透過率制御部１２０は、設定された透過率目標値Ｔ＊を示す制御指令を液晶パネル駆動部７２へ与える。
【０１０３】
液晶パネル駆動部７２は、映像信号処理部７０からの映像データに基づいて、液晶パネル１８，２４，３３を駆動するための駆動信号を生成する。このとき、液晶パネル駆動部７２は、液晶パネル１８，２４，３３の透過率を透過率目標値Ｔ＊とするように必要とされる、液晶パネル１８，２４，３３に印加する電圧を調整する。液晶パネル１８，２４，３３は、液晶パネル駆動部７２で生成された駆動信号に応じて照明装置１０から照射された照明光を変調する。これにより、照明装置１０から照射された光が、透過率目標値Ｔ＊に従った透過率で液晶パネル１８，２４，３３を透過し、液晶パネル１８，２４，３３上の表示映像がスクリーンに拡大投写される。
【０１０４】
（液晶パネルの透過率制御）
制御部１００による液晶パネル１８，２４，３３の透過率制御について詳細に説明する。
【０１０５】
図９は、制御部１００Ａによる液晶パネルの透過率制御を説明するフローチャートである。図９では、光源として使用されるランプを、第２ランプ１０Ｂから第１ランプ１０Ａに切換えられる際に制御部１００Ａが実行する処理の内容について説明する。
【０１０６】
図９を参照して、操作受付部８０から光源として使用するランプを、第２ランプ１０Ｂから第１ランプ１０Ａに変更するための切換要求が入力されると、累積点灯時間読出部１１２により、上述した方法によって、第１ランプユニット５０Ａの第１メモリ１２Ａから第１ランプ１０Ａの累積点灯時間Ｔ１が読み出されるとともに、第２ランプユニット５０Ｂの第２メモリ１２Ｂから第２ランプ１０Ｂの累積点灯時間Ｔ２が読み出される（ステップＳ４１）。
【０１０７】
ステップＳ４２では、輝度低下率算出部１１４が、輝度低下率算出用マップ（図６）の参照によって、ランプ毎の累積点灯時間Ｔ１，Ｔ２に対応する輝度低下率Ｌ１，Ｌ２を算出する。
【０１０８】
ステップＳ４３〜Ｓ４５では、透過率制御部１２０が、ランプ毎の輝度低下率Ｌ１，Ｌ２に応じて、使用するランプを第１ランプ１０Ａに切換えた後の液晶パネル１８，２４，３３の透過率の目標値（透過率目標値）Ｔ＊を設定する。
【０１０９】
具体的には、透過率制御部１２０は、まず、第１ランプ１０Ａの輝度低下率Ｌ１が第２ランプ１０Ｂの輝度低下率Ｌ２よりも高いか否かを判定する（ステップＳ４３）。第１ランプ１０Ａの輝度低下率Ｌ１が第２ランプ１０Ｂの輝度低下率Ｌ２よりも高いとき（ステップＳ４３においてＹＥＳ）には、透過率制御部１２０は、下記（６）式に従って、電力目標値Ｐ＊を、通常動作時における標準的な液晶パネル１８，２４，３３の透過率（以下、標準透過率ともいう）Ｔに設定する（ステップＳ４４）。
【０１１０】
Ｔ＊＝Ｔ  ・・・（６）
一方、第１ランプ１０Ａの輝度低下率Ｌ１が第２ランプ１０Ｂの輝度低下率Ｌ２以下となるとき（ステップＳ４３においてＮＯ）には、透過率制御部１２０は、下記（７）式に示す演算に従って、ランプ毎の輝度低下率Ｌ１，Ｌ２に応じて透過率目標値Ｐ＊を算出する（ステップＳ４５）。
【０１１１】
Ｔ＊＝Ｔ×（１−Ｌ２）／（１−Ｌ１）  ・・・（７）
（７）式中において、（１−Ｌ２）／（１−Ｌ１）は、現時点での第１ランプ１０Ａと第２ランプ１０Ｂとの輝度の割合を表す。したがって、（７）式によれば、第１ランプ１０Ａの輝度低下率Ｌ１が第２ランプ１０Ｂの輝度低下率Ｌ２以下となる場合、すなわち、第１ランプ１０Ａの現時点での輝度が第２ランプ１０Ｂの現時点での輝度以上となる場合には、液晶パネル１８，２４，３３の透過率は、両者の輝度の割合に応じて減少するように制御される。これにより、第２ランプ１０Ｂから出射されていた光の明るさに応じて、ランプを切換えた後に第１ランプ１０Ａから出射される光の明るさが抑えられる。
【０１１２】
ステップＳ４６では、液晶パネル駆動部７２が、ステップＳ４４またはＳ４５で設定された透過率目標値Ｔ＊に従って、液晶パネル１８，２４，３３に印加する電圧を調整する。具体的には、透過率制御部１２０は、液晶パネル１８，２４，３３における印加電圧と透過率との関係を示すＶ−Ｔ特性を予め有しており、このＶ−Ｔ特性を参照することにより、透過率目標値Ｔ＊に対応する印加電圧を調整する。
【０１１３】
このように、光源として使用されるランプを、第２ランプ１０Ｂから第１ランプ１０Ａに切換える際には、ランプ毎の累積点灯時間に対応する輝度低下率に応じて、液晶パネル１８，２４，３３の透過率を制御することにより、第１ランプ１０Ａに切換えた後に照明装置１０から出射される光の明るさが変化するのを抑制することができる。これにより、プロジェクタの視聴者に違和感を与えることを回避できる。
【０１１４】
なお、光源として使用されるランプを、第１ランプ１０Ａから第２ランプ１０Ｂに切換える際には、図９のステップＳ４３において、第２ランプ１０Ｂの輝度低下率Ｌ２が第１ランプ１０Ａの輝度低下率Ｌ１よりも高いか否かが判定される。そして、第２ランプ１０Ｂの輝度低下率Ｌ２が第１ランプ１０Ａの輝度低下率Ｌ１よりも高いときには、ステップＳ４４において、透過率目標値Ｔ＊が標準透過率Ｔに設定される。一方、第２ランプ１０Ｂの輝度低下率Ｌ２が第１ランプ１０Ａの輝度低下率Ｌ１以下となるときには、ステップＳ４５において、ランプ毎の輝度低下率Ｌ１，Ｌ２に応じて透過率目標値Ｔ＊が算出される。
【０１１５】
本発明の実施の形態２においては、制御部１００Ａが「電源制御手段」および「透過率制御手段」を実現する。
【０１１６】
以上のように、本発明の実施の形態２に係るプロジェクタによれば、単一の電源部からの電力の供給先を第１ランプ１０Ａと第２ランプ１０Ｂとの間で切換える構成において、ランプ毎の累積点灯時間に応じて液晶パネルを透過する光の透過率が制御される。これにより、累積点灯時間が異なる複数のランプの間で、使用するランプの切換えを行なう場合であっても、投写映像の明るさが変化するのを抑制することができる。その結果、プロジェクタの視聴者に違和感を与えることなく、使用するランプの切換えを行なうことができる。
【０１１７】
なお、上述した実施の形態１および２では、光源として使用されるランプの切換えを、操作受付部８０を介して与えられる切換要求に応じて行なう構成としたが、これに限定されるものではない。たとえば、制御部１００または１００Ａが、タイマ部１１８により計時されるランプ毎の点灯時間を監視し、所定の点灯時間が経過したときに自動的にランプの切換えを行なうようにしてもよい。
【０１１８】
また、上述した実施の形態１および２では、照明装置１０が２つのランプを含み、当該２つのランプを交互に切換える構成について説明したが、照明装置１０が３つ以上のランプを含む構成においてもこの発明を適用することができる。この場合は、各ランプが発する光が、共通の光路を通じて液晶パネル１８，２４，３３へ導かれるように、駆動ミラー１０Ｄの状態が切換えられる。
【０１１９】
また、上述した実施の形態１および２では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１２０】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１２１】
２  光学エンジン、３  投写レンズ、１０Ａ，１０Ｂ  ランプ、１０Ｄ  駆動ミラー、１０  照明装置、１１  フライアイインテグレータ、１２  ＰＢＳアレイ、１２Ａ，１２Ｂ  メモリ、１３，１６，２２，２６  コンデンサレンズ、１４，２１  ダイクロイックミラー、１５，２８，３０  ミラー、１７，２３，３２  入射側偏光板、１８，２４，３３  液晶パネル、１９，２５，３４  出射側偏光板、２０  ダイクロイックプリズム、２７，２９，３１  リレーレンズ、５０Ａ，５０Ｂ  ランプユニット、６０  ランプバラストユニット、６２  電源部、６４  ランプ駆動部、６６  リレー回路、７０  映像信号処理部、７２  液晶パネル駆動部、８０  操作受付部、９０，９２，９４  通信ライン、１００，１００Ａ  制御部、１１０  切換部、１１２  累積点灯時間読出部、１１４  輝度低下率算出部、１１６  出力電力制御部、１１８  タイマ部、１２０  透過率制御部。
【図１】
2011128494.tif 000003
【図２】
2011128494.tif 000004
【図３】
2011128494.tif 000005
【図４】
2011128494.tif 000006
【図５】
2011128494.tif 000007
【図６】
2011128494.tif 000008
【図７】
2011128494.tif 000009
【図８】
2011128494.tif 000010
【図９】
2011128494.tif 000011